(57)【要約】【課題】圧力容器の作製に用いることができる、ガス透過部材を適切に検査する。【解決手段】ガス透過部材１８の上下方向に所定の押圧力を付与し、ガス透過部材を圧縮する圧縮手段３０と、圧縮手段３０により圧縮させたガス透過部材１８の上面側から、高圧ガスを模擬した所定のガス圧Ｐ１を有する検査ガス４２を注入する検査ガス注入手段５２と、検査ガス４２をガス透過部材１８の内部に透過させ、ガス透過部材１８の外周端面または側端面から排出させる検査ガス透過経路と、ガス透過部材１８を透過させた後の検査ガス４２のガス圧を測定するガス圧センサ５０と、を備える。【選択図】図１
2011237331.tif 000002
【特許請求の範囲】
【請求項１】
一方面から流入したガスが外周端面または側端面から排出されるガス透過部材のガス透過性を検査するための検査装置であって、
前記ガス透過部材の上下方向に所定の押圧力を付与し、前記ガス透過部材を圧縮する圧縮手段と、
前記圧縮手段により圧縮させた前記ガス透過部材の上面側から、前記ガスを模擬した所定のガス圧を有する検査ガスを注入する検査ガス注入手段と、
前記検査ガスを前記ガス透過部材の内部に透過させ、前記ガス透過部材の外周端面から排出させる検査ガス透過経路と、
前記検査ガス透過経路から排出されたことに伴い変化した前記検査ガスのガス圧を測定する透過後ガス圧測定手段と、
を備えることを特徴とするガス透過部材の検査装置。
【請求項２】
請求項１に記載の検査装置において、前記ガス透過部材が、
中空形状のライナと、前記ライナの外周を被覆する繊維強化樹脂層と、を含み、前記ライナの内側部分に高圧ガスを貯留する圧力容器において、前記ライナと前記繊維強化樹脂層との間に残留した残留ガスを前記圧力容器の外部に排出するために、前記ライナと前記繊維強化樹脂層との間であって、前記圧力容器の外部に連通するように配置されてなることを特徴とする検査装置。
【請求項３】
請求項２に記載の検査装置において、
前記圧縮手段と前記ガス透過部材との間に、前記ガス透過部材の上下方向への前記検査ガスの透過をシールするガスシール部材をさらに備えることを特徴とする検査装置。
【請求項４】
請求項２または３に記載の検査装置において、
前記検査ガスのガス圧変化に基づいて前記ガス透過部材のガス透過性の程度を演算するガス透過性演算手段をさらに備えることを特徴とする検査装置。
【請求項５】
請求項２から４のいずれか１項に記載の検査装置において、
前記圧縮手段により圧縮された前記ガス透過部材の厚みを計測するための厚み計測手段と、
前記圧縮手段による圧縮に伴う前記ガス透過部材の厚みの変化に基づいて前記ガス透過部材の圧縮率を算出する圧縮率算出手段と、
をさらに備えることを特徴とする検査装置。
【請求項６】
請求項５に記載の検査装置において、
前記厚み計測手段が、前記ガス透過部材の外周端面または側端面を撮像する撮像手段を含むことを特徴とする検査装置。
【請求項７】
一方面から流入したガスが外周端面または側端面から排出されるガス透過部材のガス透過性を検査するための検査方法であって、
前記ガス透過部材の上下方向に所定の押圧力を付与し、前記ガス透過部材を圧縮する圧縮工程と、
前記圧縮工程により圧縮させた前記ガス透過部材の上面側から、前記ガスを模擬した所定のガス圧を有する検査ガスを注入する検査ガス注入工程と、
前記検査ガスを前記ガス透過部材の内部に透過させ、前記ガス透過部材の側端面から排出させる検査ガス透過工程と、
所定のガス圧で前記ガス透過部材の内部に注入された前記検査ガスが、前記ガス透過部材の側端面から排出されたことに伴うガス圧の変化を測定するガス圧測定工程と、
を含むことを特徴とするガス透過部材の検査方法。
【請求項８】
請求項７に記載の検査方法において、前記ガス透過部材が、
中空形状のライナと、前記ライナの外周を被覆する繊維強化樹脂層と、を含み、前記ライナの内側部分に高圧ガスを貯留する圧力容器において、前記ライナと前記繊維強化樹脂層との間に残留した残留ガスを前記圧力容器の外部に排出するために、前記ライナと前記繊維強化樹脂層との間であって、前記圧力容器の外部に連通するように配置されてなることを特徴とする検査方法。
【発明の詳細な説明】
【技術分野】
【０００１】
本発明は、ガス透過部材の検査装置および検査方法に関し、より詳細には、圧力容器の一部材として用いられるガス透過部材の検査装置および検査方法に関する。
【背景技術】
【０００２】
酸素や窒素など、常温常圧状態における容積の大きな気体を高密度、小容量にて貯蔵するための容器として、所定の圧力により圧縮させて液体または気体として貯蔵する、圧力容器が使用されている。中でも、炭素繊維強化樹脂（ＣＦＲＰ）などの繊維強化樹脂（ＦＲＰ）を用いたＦＲＰ製の圧力容器は一般に、金属製圧力容器よりも軽量であるため、車両などの移動体への搭載には有利であり、また、水素用圧力容器として使用する場合における、従来の鋼鉄製容器の課題であった水素脆化その他の懸念も少ないため、特に注目されている。
【０００３】
図８は、一般的なＦＲＰ製圧力容器の構成の概略を説明するための図である。図８に示す圧力容器１１０は例えば、６−ナイロン（ナイロン６とも称する）、６，６−ナイロン（ナイロン６６とも称する）などのナイロン樹脂、ポリエステル樹脂、ポリプロピレン樹脂などの熱可塑性樹脂で形成された中空形状のライナ１２と、ライナ１２の外周部分を被覆する繊維強化樹脂層（ＦＲＰ層）１４とを備え、構成されている。圧力容器１１０にはまた、少なくとも一つの口金１６を有する。口金１６は、図示しないバルブを接続可能に構成されており、このバルブ操作により圧力容器１１０の内外への高圧流体の流通を調節することができる。
【０００４】
繊維強化樹脂層１４は例えば、長く連続した糸状の繊維（フィラメント）に熱硬化性樹脂などの樹脂液を含浸させ、必要に応じて乾燥させたいわゆるプリプレグ繊維をライナの外周表面に巻きつけて、その後該樹脂液を硬化させることにより形成することができる。このとき、ライナ１２の材質および／または厚みの他、例えば、繊維強化樹脂層１４を構成する繊維の太さや巻き数を調整し、繊維強化樹脂層１４の厚みを調整することにより、圧力容器１１０の耐圧性能その他の設計強度を制御することができる。
【０００５】
このような構成を有する圧力容器１１０において、ライナ１２の内側部分に貯留された高圧ガスは、口金１６に接続されたバルブ（図示せず）を介して、その大半が排出されるが、水素ガスなどの分子量の小さい物質を圧力容器１１０に高圧充填すると、その一部が、ライナ１２を透過する場合がある。これに対し、繊維強化樹脂層１４は一般に、高いガスバリア性を有している。ライナ１２を透過したガスが、ライナ１２と繊維強化樹脂層１４との界面およびその近傍に残留し、さらにその一部が繊維強化樹脂層１４に入り込むと、容易には外部に排出されないため、長期使用に伴う圧力容器１１０の強度低下や再充填時の異音の発生の要因ともなり得る。したがって、かかる不具合の要因を除去するために、ライナ１２と繊維強化樹脂層１４との界面およびその近傍から、残留ガスを排出する手法が検討されている（例えば、特許文献１）。
【０００６】
特許文献１には、タンク内部とタンク外部とを連通させて、樹脂ライナを透過した（水素）ガスをタンク外へと排出させるための、メッシュにより形成されうる連通孔を備える高圧タンクについて開示されている。
【０００７】
一方、図７に例示する圧力容器１０のように、ライナ１２と繊維強化樹脂層１４との間に、空隙率が高く、ガス透過性を有する多孔質の部材（ガス透過部材）１８を挟み込んだ構成が知られている。圧力容器１０の内部において、ライナ１２を透過して残留した残留ガスは、ライナ１２と繊維強化樹脂層１４との間に挟まれたガス透過部材１８内を流通し、口金１６の近傍から外部に排出させることができる。
【０００８】
このような構成を有する圧力容器１０では、例えば、フェルトやナイロン繊維その他の不織布など、高いガス透過性を有する多孔質部材を選定し、筒状または帯状などの所望の形状に加工してガス透過部材１８として適用することが好適である。例えば特許文献２〜６には、試料のガス透過性を評価するための方法または装置が開示されている。
【０００９】
特許文献２には、試料を、一対の円筒形の試料台に圧着して挟み、一方の試料台は該試料から透過した空気を開放する構造とし、もう一方の試料台の底部から加圧空気を送り込み、空気が該試料を透過する際に生じる差圧に基づいて該試料の加圧下における透気度を測定する透気度測定方法および装置について開示されている。
【００１０】
特許文献３には、円筒形試験片の両端面を上下に配置し、その上下端開放部分に、シール材を施した蓋を配置し、アムスラー試験機の台座およびヘッドを利用して加圧密着させることによって円筒形試験片の内孔を密閉し、蓋を貫通して設置したノズルから所定圧力でガスを供給し、所定圧力下で円筒形試験片を貫通して流出する単位時間当たりの空気の通過量を測定に基づいて、単位面積当たりの通気量を得る管状耐火物の品質評価方法について開示されている。
【００１１】
特許文献４には、外気と接する試料に定流量の空気を通過させる際の、該試料による圧力損失に基づいて繊維材料の通気性を測定する方法およびその装置について開示されている。
【００１２】
特許文献５には、土台の上に記録紙を配置し、その上にシリンダをセットし、ピストンを初期位置から移動させる間の圧力変化度合いを圧力センサで測定することにより、被検知物の材質を判別することができる材質判別装置について開示されている。
【００１３】
特許文献６には、載置台に配した多孔質板を押付部材で押さえつけることにより、多孔質板の一端面から他端面に至るまで流体を多孔質板の内部で多孔質板の長手方向（面方向）に通過させる流路が形成された流体透過特性評価装置について開示されている。
【先行技術文献】
【特許文献】
【００１４】
【特許文献１】特開２００９−２４３６６０号公報
【特許文献２】特開平０９−１２６９８６号公報
【特許文献３】特開２００８−２２４４０７号公報
【特許文献４】特公平０５−００６１３３号公報
【特許文献５】特開２００３−３０５８３３号公報
【特許文献６】特開２００８−１５１６４８号公報
【発明の概要】
【発明が解決しようとする課題】
【００１５】
選定したガス透過部材材料を使用して図７に示すような圧力容器１０を実際に作製し、ガス透過部材１８のガス透過性を逐一評価することは困難である。このため、事前にガス透過部材１８を模擬した試料を検査し、ガス透過部材１８としての適用可能性を予測することが好適である。しかしながら、図７に例示したようなガス透過部材１８を適切に評価・選定するための検査装置や検査方法についてはいまだ開示されていない。
【００１６】
本発明は、圧力容器の作製に用いることができる、ガス透過部材のガス透過性を適切に検査するための検査装置および検査方法を提供することを目的とする。
【課題を解決するための手段】
【００１７】
本発明の構成は以下のとおりである。
【００１８】
（１）一方面から流入したガスが外周端面または側端面から排出されるガス透過部材のガス透過性を検査するための検査装置であって、前記ガス透過部材の上下方向に所定の押圧力を付与し、前記ガス透過部材を圧縮する圧縮手段と、前記圧縮手段により圧縮させた前記ガス透過部材の上面側から、前記ガスを模擬した所定のガス圧を有する検査ガスを注入する検査ガス注入手段と、前記検査ガスを前記ガス透過部材の内部に透過させ、前記ガス透過部材の外周端面から排出させる検査ガス透過経路と、前記検査ガス透過経路から排出されたことに伴い変化した前記検査ガスのガス圧を測定する透過後ガス圧測定手段と、を備える、ガス透過部材の検査装置。
【００１９】
（２）上記（１）に記載の検査装置において、前記ガス透過部材が、中空形状のライナと、前記ライナの外周を被覆する繊維強化樹脂層と、を含み、前記ライナの内側部分に高圧ガスを貯留する圧力容器において、前記ライナと前記繊維強化樹脂層との間に残留した残留ガスを前記圧力容器の外部に排出するために、前記ライナと前記繊維強化樹脂層との間であって、前記圧力容器の外部に連通するように配置されてなる、検査装置。
【００２０】
（３）上記（２）に記載の検査装置において、前記圧縮手段と前記ガス透過部材との間に、前記ガス透過部材の上下方向への前記検査ガスの透過をシールするガスシール部材をさらに備える、検査装置。
【００２１】
（４）上記（２）または（３）に記載の検査装置において、前記検査ガスのガス圧変化に基づいて前記ガス透過部材のガス透過性の程度を演算するガス透過性演算手段をさらに備える、検査装置。
【００２２】
（５）上記（２）から（４）のいずれか１つに記載の検査装置において、前記圧縮手段により圧縮された前記ガス透過部材の厚みを計測するための厚み計測手段と、前記圧縮手段による圧縮に伴う前記ガス透過部材の厚みの変化に基づいて前記ガス透過部材の圧縮率を算出する圧縮率算出手段と、をさらに備える、検査装置。
【００２３】
（６）上記（５）に記載の検査装置において、前記厚み計測手段が、前記ガス透過部材の外周端面または側端面を撮像する撮像手段を含む、検査装置。
【００２４】
（７）一方面から流入したガスが外周端面または側端面から排出されるガス透過部材のガス透過性を検査するための検査方法であって、前記ガス透過部材の上下方向に所定の押圧力を付与し、前記ガス透過部材を圧縮する圧縮工程と、前記圧縮工程により圧縮させた前記ガス透過部材の上面側から、前記ガスを模擬した所定のガス圧を有する検査ガスを注入する検査ガス注入工程と、前記検査ガスを前記ガス透過部材の内部に透過させ、前記ガス透過部材の側端面から排出させる検査ガス透過工程と、所定のガス圧で前記ガス透過部材の内部に注入された前記検査ガスが、前記ガス透過部材の側端面から排出されたことに伴うガス圧の変化を測定するガス圧測定工程と、を含む、ガス透過部材の検査方法。
【００２５】
（８）上記（７）に記載の検査方法において、前記ガス透過部材が、中空形状のライナと、前記ライナの外周を被覆する繊維強化樹脂層と、を含み、前記ライナの内側部分に高圧ガスを貯留する圧力容器において、前記ライナと前記繊維強化樹脂層との間に残留した残留ガスを前記圧力容器の外部に排出するために、前記ライナと前記繊維強化樹脂層との間であって、前記圧力容器の外部に連通するように配置されてなる、検査方法。
【発明の効果】
【００２６】
ガス透過部材のガス透過性を適切に検査することができる。
【図面の簡単な説明】
【００２７】
【図１】ガス透過部材の検査装置１００の構成の概略を説明するための図である。
【図２】図１に示す領域Ａの拡大図である。
【図３】被検試料であるガス透過部材１８の一例を示した図である。
【図４】ガス透過部材の検査装置２００の構成の概略を説明するための要部拡大図である。
【図５】ガス透過部材の検査装置３００の構成の概略を説明するための図である。
【図６】ガス透過部材の検査装置４００の構成の概略を説明するための図である。
【図７】ガス透過部材を備える圧力容器１０の構成の概略を示す図である。
【図８】従来の圧力容器１１０の構成の概略を示す図である。
【発明を実施するための形態】
【００２８】
以下、本発明の実施の形態におけるガス透過部材の検査装置の構成の概略について、図面を用いて詳細に説明する。
【００２９】
［実施の形態１］
図１に示すガス透過部材の検査装置１００は、圧縮手段３０と、アクチュエータ３６，３８と、荷重センサ４０と、ガス圧調整バルブ（レギュレータ）４４と、ガス圧センサ４６，５０と、バルブ４８と、検査ガス注入手段５２と、撮像手段５４と、制御部５６と、を備える。
【００３０】
図示しないガス供給源から送られた検査ガス４２は、レギュレータ４４、ガス圧センサ４６、バルブ４８、ガス圧センサ５０に順に接続されたガス配管を経由して検査ガス注入手段５２に供給されるように配置されている。
【００３１】
また、圧縮手段３０は、可動板３２と、固定板３４とを含み、構成されている。可動板３２は、アクチュエータ３６，３８と固定されており、アクチュエータ３６，３８が協働して動作することにより、固定板３４に対して可動板３２を平行移動させることができる。また、可動板３２の中央部分には、上下方向に貫通する１または複数のガス流路３３が形成されている。
【００３２】
本発明の実施の形態において、可動板３２および固定板３４は、例えばステンレス鋼など、剛性を有する金属材料または金属合金材料で構成することができる。また、実施の形態において、アクチュエータ３６，３８は２つに限らず、１または３以上であってもよく、また、形状も図１に例示するものに限定されない。
【００３３】
制御部５６は、例えば、内部に信号処理を行うＣＰＵとプログラムや制御データを格納する記憶部とを備えるコンピュータである。アクチュエータ３６，３８、レギュレータ４４、バルブ４８はそれぞれ制御部５６に接続され、制御部５６の指令によって動作するよう構成されている。また、荷重センサ４０、ガス圧センサ４６，５０、撮像手段５４はそれぞれ制御部５６に接続され、荷重センサ４０、ガス圧センサ４６，５０、撮像手段５４の出力信号が制御部５６に入力されるよう構成されている。
【００３４】
図２は、図１に示す領域Ａの拡大図である。図２において、可動板３２に設けられたガス流路３３を介してガス透過部材１８に注入された検査ガス４２は、ガス透過部材１８の内部を透過する。ガス透過部材１８の上面１８ａおよび下面１８ｂはそれぞれ、可動板３２および固定板３４によりガス流路を塞がれているため、ガス透過部材１８内を透過する検査ガス４２は、ガス透過部材１８の外周端面（または側端面）１８ｃから排出される。検査ガス４２がこのような経路でガス透過部材１８の内部を透過する構成を有しているため、図７に示す圧力容器１０において、ライナ１２を透過した高圧ガスが、ライナ１２とＦＲＰ層１４との間に設けられたガス透過部材１８の内部を透過し、外部に排出される様子を模擬することができる。
【００３５】
図２において、ガス透過部材１８の上下方向への検査ガス４２の透過をより確実にシールするために、ガス透過部材１８の上面１８ａ及び下面１８ｂにそれぞれ密着し、気密を保つためのガスシール部材２０，２２を適用することも好適である。このとき、可動板３２側に設けられたガスシール部材２０には、検査ガス４２の流通を阻害しないように、ガス流路３３に対応するように上下方向に貫通する貫通孔２１が設けられている。ガスシール部材２０，２２は例えば、適用する検査ガス４２に対し、ガスシール性を有する種々の弾性部材を利用することができ、例えば、熱可塑性樹脂が好適である。
【００３６】
本発明の実施の形態において、ガス透過部材１８としては例えば、図３に示すような円柱または円盤状に加工された部材を被検試料とすることができる。このような未圧縮状態のガス透過部材１８の半径ｒ（例えば、２０〜３０ｍｍ程度）、厚みｄ1（例えば、０．１〜３ｍｍ程度）などを規定して試料の形状を揃え、その質量、密度、空隙率などを予め計測したものを被検試料とすることができる。なお、本発明の他の実施の形態として、図７に示す圧力容器１０で実際に適用されるものと同様の寸法に加工したガス透過部材１８を試料とすることも可能であることはいうまでもない。さらに、次に示すように図７に示すライナ１２とガス透過部材１８とを組み合わせたものに相当する試料を検査することもできる。
【００３７】
図４は、図７に示すライナ１２とガス透過部材１８とを組み合わせたものに相当する試料を検査することのできるガス透過部材の検査装置の一例について示す要部拡大図である。ガス透過部材の検査装置２００は、可動板３２に代えて、ライナ１２の外周端部を覆うように形成された可動板５８を備えることを除き、図１、２に示すガス透過部材の検査装置１００とほぼ同様の構成を有している。ライナ１２の外周端部が可動板５８で覆われていることにより、ライナ１２に透過した検査ガス４２がその外周端部分を透過して外気に排出されることなく、適切にガス透過部材１８の内部に導入することができる。必要に応じて、可動板５８とライナ１２および／またはガス透過部材１８との間に、図２に示すガスシール部材２０に相当するガスシール部材（図示せず）を挟み、ガス透過部材１８の上面方向への検査ガス４２の透過をより効果的に防止することも好適である。
【００３８】
図１に戻り、荷重センサ４０は、アクチュエータ３６，３８を動作させて可動板３２を移動させることにより、ガス透過部材１８を押圧する荷重を検知することができるように構成されている。つまり、例えば表面積や厚さなど、予め規定されたガス透過部材１８の形状と、荷重センサ４０により検知される荷重に基づいて、圧縮手段３０により付与されるガス透過部材１８への押圧力を算出することができる。この押圧力を適宜調整することにより、図７に示す圧力容器１０において、内部に充填された高圧ガスにより、ガス透過部材１８を圧力容器１０内側から押圧するガス圧力を模擬することができる。つまり、圧力容器１０内の圧力が、例えば、７０ＭＰａである場合を模擬したい場合には、ガス透過部材１８に付与される面圧が７０ＭＰａとなるように、荷重センサ４０で確認しながらアクチュエータ３６，３８を動作させると良い。荷重センサ４０としては例えば、いわゆるロードセルを適用することができる。
【００３９】
レギュレータ４４は、ガスタンクなどの図示しないガス供給源からの検査ガス４２のガス圧力を制御することができ、ガス圧センサ４６は、レギュレータ４４を経由して流入する検査ガス４２のガス圧力を測定することができる。バルブ４８は、レギュレータ４４によりガス圧力を調整した検査ガス４２を下流側に流入させることができる開閉可能な弁であり、ガス圧センサ５０は、バルブ４８を閉→開に切り替えることにより流入する検査ガス４２のガス圧力を測定することができる。実施の形態において、検査ガス４２としては例えば、安全性の観点から、ヘリウムガスを用いることができる。また、実機試験により近い状態で検査するために、水素ガスを用いてもよい。
【００４０】
可動板３２の上方に設けられた検査ガス注入手段５２は、ガス透過部材１８の上面からガス透過部材１８に検査ガス４２を漏れなく適切に注入することができるよう構成されている。
【００４１】
撮像手段５４は、圧縮手段３０により圧縮されるガス透過部材１８の厚みを計測するための厚み計測手段として配置することができる。撮像手段５４は、ガス透過部材１８の外周端面または側端面の厚みを撮像することができるように配置することができる。他の実施の形態として、ガス透過部材１８に非接触で計測することができる種々の厚み計測手段を、撮像手段５４に代えて、または撮像手段５４と組み合わせて適用することができる。得られたガス透過部材１８の厚みに関する情報は、ガス透過部材１８の圧縮率や空隙率の算出に用いることができる。
【００４２】
本発明の実施の形態において、制御部５６には、ガス圧センサ４６，５０により検出された検査ガス４２の圧力差に基づいてガス透過部材１８のガス透過性の程度を演算するガス透過性演算手段（図示せず）を備えることができる。ガス透過性演算手段で演算される値としては、ガス透過部材１８のガス透過性の評価の指標となりうるものであればいかなるものであってもよいが、例えば、単位時間当たりに透過する検査ガスの量を示すガス透過率とすることができる。
【００４３】
制御部５６にはまた、必要に応じて、撮像手段５４または厚み計測手段により計測されたガス透過部材１８の厚みの、初期状態との間の変化量に基づいてガス透過部材１８の圧縮率を算出する圧縮率算出手段（図示せず）を備えることができる。
【００４４】
図１〜３を参照して、本発明の実施の形態におけるガス透過部材の検査方法の概略について説明する。まず、被検試料となるガス透過部材１８を用意し、固定板３４の上にセットする。アクチュエータ３６，３８を調節して可動板３２を移動させ、所定の押圧力にて押圧圧縮する。次いで、圧縮手段３０により圧縮された状態のガス透過部材１８を撮像手段５４にて撮像し、圧縮状態におけるガス透過部材１８の厚みｄ2を計測する。
【００４５】
その後、バルブ４８を閉じた状態でレギュレータ４４を調整し、ガス圧センサ４６が検出するガス圧力を図７に示す圧力容器１０の内圧を模擬した所定値Ｐ１となるように制御する。バルブ４８を開放し、所定時間（例えば、１秒〜５秒程度）経過後、バルブ４８を閉じ、検査ガス４２をガス透過部材１８に透過させた後のガス圧センサ５０が検出するガス圧力Ｐ２を測定する。ガス圧センサ５０が検出するガス圧力は、バルブ４８の開放直後にはほぼＰ１に等しい。この所定時間でのガス圧センサ５０が検出するガス圧力の降下量ΔＰ（＝Ｐ１−Ｐ２）、検査ガス４２が流通する配管容積に基づいてガス透過部材１８のガス透過量を算出することができる。必要に応じて、アクチュエータ３６，３８の調節による押圧力と、図７に示す圧力容器１０の内圧を模擬した所定値Ｐ１とを変化させることにより、各条件下でのガス透過量を測定することもできる。
【００４６】
そして予め設定しておいた評価項目（例えば、ガス透過率や空隙率など）について、ガス透過部材１８としての適用可能性を有するとされる規定値と比較することにより、圧力容器１０への適用要否を判断することができる。
【００４７】
また、図１に示すガス透過部材の検査装置１００において、上述したような操作を複数回繰り返して実施する、および／またはアクチュエータ３６，３８の調節による押圧保持時間を変化させる、などにより、圧力容器１０の経時変化の様子についても模擬することができるため、ガス透過部材１８の耐久性についても評価することもできる。
【００４８】
このように、本発明の実施の形態によれば、ガス透過部材１８のガス透過性および圧力容器１０への適用要否について多面的に検査することができる。
【００４９】
［実施の形態２］
図５に示すガス透過部材の検査装置３００は、ガス透過部材１８の近傍に、噴霧器６０を備えることを除き、図１に示すガス透過部材の検査装置１００とほぼ同様の構成を有している。なお、図１に示す撮像手段５４に相当する装置については省略している。
【００５０】
噴霧器６０は、水または水蒸気、海水などの水分や、バッテリ液、融雪剤などの薬液など、圧力容器の使用環境下で混入しうる異物を模擬した物質をガス透過部材１８に向けて噴霧することができるように構成されている。本実施の形態によれば、ガス透過部材１８への異物の混入に伴う性能低下をも考慮した検査をすることが可能である。
【００５１】
［実施の形態３］
図６に示すガス透過部材の検査装置４００は、圧縮手段３０、アクチュエータ３６，３８、荷重センサ４０および検査ガス注入手段５２を内部に収容したチャンバ６２と、チャンバ６２内部のガス圧力を検出することができるガス圧センサ６４と、チャンバ６２内部の検査ガス４２を外部に放出することができる開閉可能なバルブ６６とを備えることを除き、図１に示すガス透過部材の検査装置１００とほぼ同様の構成を有している。なお、図１に示す撮像手段５４に相当する装置や、各装置または部材と制御部５６との関連については図示を一部省略している。
【００５２】
本実施の形態において、バルブ６６を閉じた状態でバルブ４８を開放し、所定のガス圧力Ｐ１に設定した検査ガス４２をガス透過部材１８に所定時間注入すると、ガス圧センサ６４が検出するチャンバ６２内のガス圧力が上昇する。このとき検出されたチャンバ６２内のガス圧力の上昇値Ｐ３に基づいて、ガス透過部材１８のガス透過率を算出することができる。
【産業上の利用可能性】
【００５３】
本発明は、一方面から流入したガスが外周端面または側端面から排出されるような構成を有するガス透過部材のガス透過性を検査し、評価するために利用することができる。
【００５４】
本発明はまた、一方面にいくらかのガス透過性を有する部材を、他方面にガス透過性を有しない部材をそれぞれ配することにより、一方面から流入したガスを他方面から排出することができず、外周端面または側端面から排出せざるをえないように配置されたガス透過部材のガス透過性を検査し、評価するために利用することができることができる。
【００５５】
本発明は、水素タンクなど、ＦＲＰ製の圧力容器等の作製のために利用することが可能である。
【符号の説明】
【００５６】
１０，１１０  圧力容器、１２  ライナ、１４  繊維強化樹脂層（ＦＲＰ層）、１６  口金、１８  ガス透過部材、１８ａ  上面、１８ｂ  下面、１８ｃ  外周端面または側端面、２０，２２  ガスシール部材、２１  貫通孔、３０  圧縮手段、３２，５８  可動板、３３  ガス流路、３４  固定板、３６，３８  アクチュエータ、４０  荷重センサ、４２  検査ガス、４４  ガス圧調整バルブ（レギュレータ）、４６，５０，６４  ガス圧センサ、４８，６６  バルブ、５２  検査ガス注入手段、５４  撮像手段、５６  制御部、６０  噴霧器、６２  チャンバ、１００，２００，３００，４００  ガス透過部材の検査装置。
【図１】
2011237331.tif 000003
【図２】
2011237331.tif 000004
【図３】
2011237331.tif 000005
【図４】
2011237331.tif 000006
【図５】
2011237331.tif 000007
【図６】
2011237331.tif 000008
【図７】
2011237331.tif 000009
【図８】
2011237331.tif 000010